(57)【要約】【課題】貯湯槽内の温度成層を崩すことなく浴槽の保温運転を行うことにより、給湯と蓄熱における運転効率を向上すること。【解決手段】貯湯槽１と給水管２と給湯管３とを有する給湯回路６と、前記貯湯槽１と熱源７とを貯湯循環ポンプ８を介して往管９と復管１０とで環状に接続した蓄熱循環回路１１と、前記蓄熱循環回路１１に設けた第１切換手段１８で前記貯湯槽１をバイパスする貯湯槽バイパス管路１９と、前記蓄熱循環回路１１に設けた第２切換手段２０で前記往管９をバイパスする往管バイパス管路２１と、風呂循環ポンプ１３で浴槽の湯を循環する風呂循環回路１７と、前記往管バイパス管路２１に接続した加熱器２３と、前記風呂循環回路１７に接続した放熱器２４とを備え、前記加熱器２３と前記放熱器２４と蓄熱体２５とで蓄熱器を構成することを特徴とする給湯機。【選択図】図１
2010019518.tif 000002
【特許請求の範囲】
【請求項１】
貯湯槽と給水管と給湯管とを有する給湯回路と、前記貯湯槽と熱源とを貯湯循環ポンプを介して往管と復管とで環状に接続した蓄熱循環回路と、前記蓄熱循環回路に設けた第１切換手段で前記貯湯槽をバイパスする貯湯槽バイパス管路と、前記蓄熱循環回路に設けた第２切換手段で前記往管をバイパスする往管バイパス管路と、風呂循環ポンプで浴槽の湯を循環する風呂循環回路と、前記往管バイパス管路に接続した加熱器と、前記風呂循環回路に接続した放熱器とを備え、前記加熱器と前記放熱器と蓄熱体とで蓄熱器を構成することを特徴とする給湯機。
【請求項２】
貯湯槽と給水管と給湯管とを有する給湯回路と、前記貯湯槽と熱源とを貯湯循環ポンプを介して往管と復管とで環状に接続した蓄熱循環回路と、前記蓄熱循環回路に設けた第１切換手段で前記貯湯槽をバイパスする貯湯槽バイパス管路と、前記蓄熱循環回路に設けた第２切換手段で前記往管をバイパスする往管バイパス管路と、風呂循環ポンプで浴槽の湯を循環する風呂循環回路と、前記往管バイパス管路に接続した加熱器と、前記往管バイパス管路と前記風呂循環回路とに接続した風呂熱交換器とを備え、前記加熱器と蓄熱体とで蓄熱器を構成することを特徴とする給湯機。
【請求項３】
往管バイパス管路に、循環ポンプを設けた請求項１または２に記載の給湯機。
【請求項４】
第２切換手段を混合弁とし、制御装置と前記混合弁の下流に設けた温度検知手段とを備え、前記温度検知手段の検知温度に基づいて、前記混合弁を動作させることを特徴とする請求項１〜３のいずれか１項に記載の給湯機。
【請求項５】
往管バイパス管路と給湯管とを、給湯弁を介して接続することを特徴とする請求項１〜４のいずれか１項に記載の給湯機。
【請求項６】
給湯管と給水管とを接続する給水分岐管を備え、往管バイパス管路と前記給水分岐管とを、給水弁を介して接続することを特徴とする請求項１〜５のいずれか１項に記載の給湯機。
【発明の詳細な説明】
【技術分野】
【０００１】
本発明は、風呂給湯を行う給湯機に関するものである。
【背景技術】
【０００２】
従来、この種の給湯機の風呂保温装置は、ヒートポンプシステムを搭載する熱源と蓄熱循環ポンプと貯湯槽からなる蓄熱循環回路と、浴槽と風呂循環ポンプと貯湯槽の内部上方に内設する貯湯熱交換器とからなる風呂循環回路で構成し、貯湯槽に給水管と給湯管とを接続し、給水管と給湯管とを給湯混合弁を介して給水分岐管で接続して所定温度の湯を供給していた。
【０００３】
浴槽の保温は、風呂循環ポンプを運転して浴槽内の温度低下した湯を熱交換器に送り加熱して浴槽に戻すことにより浴槽内の湯を所定の温度に保ち、浴槽の湯はりと湯の補充は湯はり管に設けた湯はり弁を開放して給湯管から浴槽保温回路に湯を供給していた（例えば、特許文献１参照）。
【０００４】
図７は、特許文献１に記載された従来の風呂保温装置を示すものである。図７に示すように、貯湯槽１と給水管２と給湯管３と給湯混合弁４と給水分岐管５とを備えた給湯回路６と、熱源７と貯湯槽１と貯湯循環ポンプ８と往管９と復管１０とを備えた蓄熱循環回路１１と、浴槽１２と風呂循環ポンプ１３と貯湯熱交換器１４と湯はり管１５と湯はり弁１６とを備えた風呂循環回路１７とから構成されている。
【特許文献１】特開２００３−２１４７１１号公報
【発明の開示】
【発明が解決しようとする課題】
【０００５】
しかしながら、前記従来の構成では、浴槽保温運転時に風呂循環ポンプを運転して浴槽内の低温の湯を放熱器に流すため、貯湯槽内の上部に貯められた高温の湯が冷却されることとなり、貯湯槽内の温度成層がくずれて、給湯効率を低下させ、さらに貯湯槽下部の水の温度が上昇した状態で、蓄熱運転を行うと、貯湯循環ポンプを運転して貯湯槽下部の温度上昇した湯を熱源に送ることとなるので、ヒートポンプなどの熱源では入水温度が高くなり蓄熱運転の効率を低下させるなどの課題を有していた。
【０００６】
本発明は、前記従来の課題を解決するもので、高効率な風呂保温装置を有する給湯機を提供することを目的とする。
【課題を解決するための手段】
【０００７】
前記従来の課題を解決するために、本発明の給湯機は、貯湯槽と給水管と給湯管とを有する給湯回路と、前記貯湯槽と熱源とを貯湯循環ポンプを介して往管と復管とで環状に接続した蓄熱循環回路と、前記蓄熱循環回路に設けた第１切換手段で前記貯湯槽をバイパスする貯湯槽バイパス管路と、前記蓄熱循環回路に設けた第２切換手段で前記往管をバイパスする往管バイパス管路と、風呂循環ポンプで浴槽の湯を循環する風呂循環回路と、前記往管バイパス管路に接続した加熱器と、前記風呂循環回路に接続した放熱器とを備え、前記加熱器と前記放熱器と蓄熱体とで蓄熱器を構成することを特徴とするもので、蓄熱循環回路を往管バイパス管路と貯湯槽バイパス管路側に管路を切り換えて貯湯循環ポンプを運転することにより、貯湯槽を経由することなく往管バイパス管路に接続する加熱器で蓄熱体を加熱して蓄熱し風呂循環回路に接続する放熱器で蓄熱体から受熱して浴槽内の湯を加熱して保温することができるので、貯湯槽内の温度成層を保った状態で浴槽の保温運転を行うこととなり、給湯効率を向上して、貯湯槽の蓄熱運転においても、熱源の入口温度を
低く保つことにより蓄熱運転の効率を向上することができる。
【発明の効果】
【０００８】
本発明によれば、貯湯槽内の温度成層を崩すことなく浴槽の保温運転を行うことにより、給湯と蓄熱における装置の運転効率を向上した給湯機を提供できる。
【発明を実施するための最良の形態】
【０００９】
第１の発明は、貯湯槽と給水管と給湯管とを有する給湯回路と、前記貯湯槽と熱源とを貯湯循環ポンプを介して往管と復管とで環状に接続した蓄熱循環回路と、前記蓄熱循環回路に設けた第１切換手段で前記貯湯槽をバイパスする貯湯槽バイパス管路と、前記蓄熱循環回路に設けた第２切換手段で前記往管をバイパスする往管バイパス管路と、風呂循環ポンプで浴槽の湯を循環する風呂循環回路と、前記往管バイパス管路に接続した加熱器と、前記風呂循環回路に接続した放熱器とを備え、前記加熱器と前記放熱器と蓄熱体とで蓄熱器を構成することを特徴とする給湯機で、蓄熱器への蓄熱は、貯湯循環ポンプを運転して熱源で循環水を加熱して往管バイパス管路に送り、蓄熱器の加熱器で蓄熱体を加熱して蓄熱した後、低温になった循環水を貯湯槽バイパス管路を通して貯湯循環ポンプから熱源に戻し、浴槽の保温運転は、風呂循環ポンプを運転して浴槽の湯を蓄熱器の放熱器に送り蓄熱体から受熱することにより、放熱器で循環水を加熱して浴槽に戻すこととなり、蓄熱器の蓄熱運転と風呂保温運転の両運転において、低温の循環水を貯湯槽の上部に流すことがないので、貯湯槽の温度成層を保つことができ、貯湯槽の蓄熱運転においても熱源への入水温度を低く保って効率を向上することができる。
【００１０】
第２の発明は、貯湯槽と給水管と給湯管とを有する給湯回路と、前記貯湯槽と熱源とを貯湯循環ポンプを介して往管と復管とで環状に接続した蓄熱循環回路と、前記蓄熱循環回路に設けた第１切換手段で前記貯湯槽をバイパスする貯湯槽バイパス管路と、前記蓄熱循環回路に設けた第２切換手段で前記往管をバイパスする往管バイパス管路と、風呂循環ポンプで浴槽の湯を循環する風呂循環回路と、前記往管バイパス管路に接続した加熱器と、前記往管バイパス管路と前記風呂循環回路とに接続した風呂熱交換器とを備え、前記加熱器と蓄熱体とで蓄熱器を構成することを特徴とする給湯機で、風呂保温運転開始時は蓄熱器から熱を取り出して風呂熱交換器で浴槽の湯を加熱し、熱源の出力を大きくすることにより、風呂熱交換器で直接浴槽の湯を加熱することで、風呂保温運転の立上げを早くして、蓄熱器を小型化し、風呂保温能力を向上することができる。
【００１１】
第３の発明は、往管バイパス管路に、循環ポンプを設けたもので、入浴後に風呂循環ポンプと往管バイパス管路に設けた循環ポンプとを同時に運転することにより、浴槽の残湯を風呂熱交換器に流して熱を回収し、往管バイパス管路に設けた蓄熱器の加熱器で蓄熱体を加熱することにより蓄熱することで、熱源で蓄熱する蓄熱量を減らして装置の効率を向上することができる。
【００１２】
第４の発明は、第２切換手段を混合弁とし、制御装置と前記混合弁の下流に設けた温度検知手段とを備え、前記温度検知手段の検知温度に基づいて、前記混合弁を動作させることを特徴とするもので、混合弁の出口の温度検知手段の値を貯湯槽の上部に貯湯する湯温以上にするように、制御装置で混合弁を制御して、往管に流れる流量と往管バイパス管路に流れる流量とを熱源の出力に応じて調整することで、往管バイパス管路に設けた蓄熱器に蓄熱すると同時に貯湯槽の温度成層を保った状態で、上部から順に高温の湯を貯めることができる。
【００１３】
第５の発明は、往管バイパス管路と給湯管とを、給湯弁を介して接続することを特徴とするもので、往管バイパス管路に設けた蓄熱器で加熱した温水を、貯湯槽に接続する給湯管の温水と混合して供給することで、風呂保温の負荷が発生しないときも、蓄熱器に蓄熱
した熱を、他の給湯負荷に利用して貯湯槽からの出湯量を減らして効率を向上することができる。
【００１４】
第６の発明は、給湯管と給水管とを接続する給水分岐管を備え、往管バイパス管路と前記給水分岐管とを、給水弁を介して接続することを特徴とするもので、往管バイパス管路に設けた蓄熱器で加熱した温水を、給水と混合して供給することで、浴槽の残湯から熱回収して蓄熱器に蓄熱する低温の熱を利用することが可能となり、貯湯槽からの出湯量を減らして装置の効率を向上することができる。
【００１５】
以下、本発明の実施の形態について、図面を参照しながら説明する。なお、この実施の形態によって本発明が限定されるものでない。
【００１６】
（実施の形態１）
図１は本発明の第１の実施の形態における風呂保温装置を有する給湯機の構成図を示すものである。
【００１７】
図１において、給湯回路６は貯湯槽１と給水管２と給湯管３と給湯混合弁４と給水分岐管５とを備えたものであり、蓄熱循環回路１１は貯湯槽１と熱源７を往管９と貯湯循環ポンプ８を備えた復管１０で環状に接続して構成している。
【００１８】
蓄熱循環回路１１は、三方弁などを用いた第１切換手段１８で貯湯槽１をバイパスする貯湯槽バイパス管路１９と第２切換手段２０で往管９をバイパスする往管バイパス管路２１とを設け、風呂循環回路１７には浴槽１２の湯を循環する風呂循環ポンプ１３を設けている。
【００１９】
蓄熱器２２は、往管バイパス管路２１に接続する加熱器２３と風呂循環回路１７に接続する放熱器２４と蓄熱体２５とから構成されている。
【００２０】
以上のように構成された風呂保温装置について、以下その動作、作用を説明する。
【００２１】
まず、貯湯槽１への貯湯は、第１切換手段１８を貯湯槽１側に切換え第２切換手段２０を往管９側に切り換えて貯湯循環ポンプ８を運転することにより、熱源７で加熱した高温水を貯湯槽１の上部から順に温度成層を形成して貯湯し、給湯は、給湯回路６の給水管２から貯湯槽１の下部に給水して上部より高温の湯を取り出し、給湯管３から給湯混合弁４の高温側入口に供給し、給水分岐管５から供給する給水と所定の温度になるように混合して給湯する。
【００２２】
蓄熱器２２への蓄熱は、蓄熱循環回路１１の第１切換手段１８を、貯湯槽バイパス管路１９側に切換え、第２切換手段２０を往管バイパス管路２１側に切り換えて、貯湯循環ポンプ８を運転することにより、熱源７で加熱した高温水を往管バイパス管路２１に循環させて蓄熱器２２の加熱器２３で蓄熱体２５を加熱して蓄熱し、風呂の保温は、風呂循環ポンプ１３を運転して、風呂循環回路１７に浴槽１２内の湯を循環させて放熱器２４で蓄熱体２５から受熱し浴槽１２に戻して保温するため、蓄熱器２２の蓄熱運転および風呂保温運転において貯湯槽１へ循環水が流入することがないので蓄熱槽１の温度成層を保つことができる。
【００２３】
以上のように、本実施の形態においては、蓄熱循環回路１１に第１切換手段１８で貯湯槽１をバイパスする貯湯槽バイパス管路１９と、第２切換手段２０で往管９をバイパスする往管バイパス管路２１とを設け、蓄熱器２２を、往管バイパス管路２１に接続する加熱器２３と、風呂循環回路７に接続する放熱器２４と、蓄熱体２５とを備えた構成とするこ
とにより、熱源７で加熱した循環水を往管バイパス管路２１に設けた加熱器２３から貯湯槽バイパス管路１９に流して蓄熱体２５に蓄熱し、風呂循環回路１７で浴槽１２内の湯を循環して、放熱器２４で蓄熱体２５から受熱して風呂の保温を行うこととなり、蓄熱槽１内の貯湯を利用することなく蓄熱器２２の熱を利用して風呂保温を行うため貯湯槽１内の温度成層を保つことができるので、装置の効率を向上することができる。
【００２４】
（実施の形態２）
図２は本発明の第２の実施の形態の風呂保温装置を有する給湯機の構成図を示すものである。
【００２５】
図２において、往管バイパス管路２１に加熱器２３と蓄熱体２５を備えた蓄熱器２２と、風呂熱交換器２６とを設けたものであり、蓄熱器２２と風呂熱交換器２６を直列に接続して構成している。
【００２６】
以上のように構成された風呂保温装置について、以下その動作、作用を説明する。
【００２７】
まず、風呂の保温は、風呂循環ポンプ１３を運転して風呂循環回路１７に浴槽１２内の湯を循環させて往管バイパス管路２１に設けた風呂熱交換器２６で加熱して浴槽１２に戻して保温することとなるが、蓄熱循環回路１１は、第１切換手段１８を貯湯槽バイパス管路１９側に切換え、第２切換手段２０を往管バイパス管路２１側に切り換えて貯湯循環ポンプ８を運転することにより、熱源７から往管バイパス管路２１に設けた蓄熱器２２と風呂熱交換器２６に順に循環させることとなる。
【００２８】
風呂保温運転開始においては、熱源７からでる温水の温度は充分に上昇していないので蓄熱器２２の加熱器２３において、蓄熱体２５から受熱して所定の温度に上昇した状態で風呂熱交換器２６に入るので、運転初期から風呂保温の機能を発揮することとなる。
【００２９】
熱源７が充分に立ち上がった状態では、蓄熱器２２において蓄熱量も所定量に達するので、蓄熱器２２で蓄熱しないで通過し風呂熱交換器２６で直接熱交換することとなる。
【００３０】
以上のように、本実施の形態においては、往管バイパス管路２１に、加熱器２３と蓄熱体２５を備えた蓄熱器２２と、風呂熱交換器２６とを直列に接続して設けることにより、風呂保温運転開始時は熱源７が運転を開始して所定の出力を出すまでの間、蓄熱器２２で加熱することとなるので、ヒートポンプなどのような立上げに時間を要する機器を搭載しても立上げ性能を向上することができ、蓄熱器２２は立ち上げに要する熱量程度を蓄熱する能力で良いこととなり装置を小型化することができる。
【００３１】
（実施の形態３）
図３は本発明の第３の実施の形態の風呂保温装置を有する給湯機の構成図を示すものである。
【００３２】
図３において、往管バイパス管路２１に、循環ポンプ２７を設けたものであり、加熱器２３と蓄熱体２５を備えた蓄熱器２２と風呂熱交換器２６と循環ポンプ２７を直列に配管接続して往管バイパス管路２１を構成している。
【００３３】
以上のように構成された風呂保温装置について、以下その動作、作用を説明する。
【００３４】
まず、風呂の保温は、風呂循環ポンプ１３を運転して、風呂循環回路１７に浴槽１２内の湯を循環させて往管バイパス管路２１に設けた風呂熱交換器２６で加熱して、浴槽１２に戻して保温することとなるが、蓄熱循環回路１１は、第２切換手段２０を熱源７側に切
り換えて循環ポンプ２７を運転することにより、蓄熱器２２の熱を風呂熱交換器２６に伝達することとなる。
【００３５】
以上のように、本実施の形態においては、往管バイパス管路２１に、循環ポンプ２７を設けたことにより、蓄熱器２２の蓄熱運転と風呂保温運転における蓄熱循環回路１１側の循環動力を減らして性能を向上することができる。
【００３６】
さらに入浴後、風呂循環ポンプ１３と循環ポンプ２７を運転して浴槽１２の残湯の保有する熱を蓄熱器２２に回収して再度風呂に戻すことも可能となる。
【００３７】
（実施の形態４）
図４は本発明の第４の実施の形態の風呂保温装置を有する給湯機の構成図を示すものである。
【００３８】
図４において、往管バイパス管路２１に、混合弁２８と、温度検知手段２９と、制御装置３０とを設けたものであり、温度検知手段２９は混合弁２８の下流に設け、制御装置３０は温度検知手段２９の検知温度に応じて混合弁２８を制御している。
【００３９】
以上のように構成された風呂保温装置について、以下その動作、作用を説明する。
【００４０】
まず、貯湯槽１への貯湯は、第１切換手段１８を貯湯槽１側に切換え貯湯循環ポンプ８を運転することにより、熱源７で加熱した高温水を貯湯槽１の上部から順に温度成層を形成して貯湯するが、この時、混合弁２８で往管バイパス管路２１側にも分流することにより、蓄熱器２２の加熱器２３で蓄熱体２５に蓄熱することなる。
【００４１】
制御装置３０は、混合弁２８の出口に設けた温度検知手段２９の検知値を、貯湯槽１の上部の貯湯温度以上になるように、熱源７の出力に応じて、往管９と往管バイパス管路２１の流量比率を混合弁２８で制御することとなる。
【００４２】
以上のように、本実施の形態においては、蓄熱循環回路１１に、混合弁２８と、混合弁２８の下流に設けた温度検知手段２９と、温度検知手段２９の検知温度に応じて混合弁２８を制御する制御装置３０とを備えたことにより、制御装置３０は、温度検知手段２９の値を貯湯槽１の上部の貯湯温度以上になるように、熱源７の出力に応じて往管９と往管バイパス管路２１の流量比率を混合弁２８で制御することとなり、貯湯槽１の上部入口には、貯湯温度以上の温水が流入するため、温度成層を保つ状態で貯湯すると同時に蓄熱器２２へ蓄熱をすることができるので、制御性に優れた高効率の装置を実現することができる。
【００４３】
（実施の形態５）
図５は本発明の第５の実施の形態の風呂保温装置を有する給湯機の構成図を示すものである。
【００４４】
図５において、往管バイパス管路２１を、給湯弁３１を介して貯湯槽１の給湯管３に分岐接続したものであり、往管バイパス管路２１の蓄熱器２２の出口側から分岐して給湯弁３１を介して貯湯槽１の出口の給湯管３に分岐接続している。
【００４５】
以上のように構成された風呂保温装置について、以下その動作、作用を説明する。
【００４６】
まず、蓄熱器２２は、熱源７の出力により蓄熱したときは、蓄熱体２５が高温になり、風呂保温の負荷が長い期間発生しない場合は、高温の状態で長時間放置されることになる
ので、蓄熱器２２からの放熱による熱損失が発生することとなる。
【００４７】
風呂保温負荷が発生しないことを検知した時点で、給湯弁３１を開放して貯湯循環ポンプ８を運転し、往管バイパス管路２１の蓄熱器２２の加熱器２３で蓄熱体２５から受熱して高温となった温水を、貯湯槽１の給湯管３に供給して、給湯混合弁４で給水と混合して所定の温度にして給湯に供することにより、蓄熱器２２からの熱損失を最少に抑えて貯湯槽１からの出湯量を低減することとなる。
【００４８】
以上のように、本実施の形態においては、往管バイパス管路２１を給湯弁３１を介して貯湯槽１の給湯管３に分岐接続することにより、風呂保温の負荷が発生しないときは蓄熱器２２に蓄熱した熱を他の給湯負荷に利用することとなり、熱損失の少ない高効率の装置を実現することができる。
【００４９】
（実施の形態６）
図６は本発明の第６の実施の形態の風呂保温装置を有する給湯機の構成図を示すものである。
【００５０】
図６において、往管バイパス管路２１を給水弁３２を介して給湯混合弁４の給水分岐管５に分岐接続したものであり、往管バイパス管路２１の蓄熱器２２の出口側から分岐して、給水弁３２を介して給湯混合弁４に接続する給水分岐管５に接続している。
【００５１】
以上のように構成された風呂保温装置について、以下その動作、作用を説明する。
【００５２】
まず、入浴後、風呂循環回路１７に浴槽１２内の湯を循環させて往管バイパス管路２１の放熱器２４で蓄熱体２５を加熱することにより、蓄熱器２２に浴槽１２の残湯熱を回収することとなる。
【００５３】
給湯負荷が発生した時点で、給水弁３２を開放して貯湯循環ポンプ８を運転し、往管バイパス管路２１に設けた蓄熱器２２の加熱器２３で蓄熱体２５から受熱して昇温した温水を給水分岐管５に供給し、給湯混合弁４で貯湯槽１の貯湯と混合して所定の温度にして給湯することにより、給湯混合弁４の貯湯槽１から供給される高温側流量を低減することとなる。
【００５４】
以上のように、本実施の形態においては、往管バイパス管路２１を給水弁３２を介して給湯混合弁４の給水分岐管５に分岐接続することにより、浴槽１２の残湯熱を回収して他の給湯負荷に利用することとなり、低温の熱を利用して貯湯槽１からの出湯量を低減して高効率の装置を実現することができる。
【産業上の利用可能性】
【００５５】
以上のように、本発明にかかる給湯機は、高効率な運転が可能となるので、給湯、暖房、乾燥機および産業用の廃熱回収装置などの用途にも適用できる。
【図面の簡単な説明】
【００５６】
【図１】本発明の実施の形態１における給湯機の構成図
【図２】本発明の実施の形態２における給湯機の構成図
【図３】本発明の実施の形態３における給湯機の構成図
【図４】本発明の実施の形態４における給湯機の構成図
【図５】本発明の実施の形態５における給湯機の構成図
【図６】本発明の実施の形態６における給湯機の構成図
【図７】従来の風呂保温装置を有する給湯機の構成図
【符号の説明】
【００５７】
１  貯湯槽
２  給水管
３  給湯管
４  給湯混合弁
５  給水分岐管
６    給湯回路
７    熱源
８    貯湯循環ポンプ
９  往管
１０  復管
１１  蓄熱循環回路
１２  浴槽
１３  風呂循環ポンプ
１４  貯湯熱交換器
１７  風呂循環回路
１８  第１切換手段
１９  貯湯槽バイパス管路
２０  第２切換手段
２１  往管バイパス管路
２２  蓄熱器
２３  加熱器
２４  放熱器
２５  蓄熱体
２６  風呂熱交換器
２７  循環ポンプ
２８  混合弁
２９  温度検知手段
３０  制御装置
３１  給湯弁
３２  給水弁
【図１】
2010019518.tif 000003
【図２】
2010019518.tif 000004
【図３】
2010019518.tif 000005
【図４】
2010019518.tif 000006
【図５】
2010019518.tif 000007
【図６】
2010019518.tif 000008
【図７】
2010019518.tif 000009